(57)【要約】【課題】ユーザによる簡単な設定作業により車両の異音を正確に判定することができる異音判定装置を提供する。【解決手段】本発明の異音判定装置１００は、記憶手段１２０、受付手段１２１、補正手段１２０、集音手段１１０、解析手段１２０、および判定手段１２０を有する。記憶手段は、検査対象車両で発生される音に含まれる異音を判定するための判定値を記憶している。受付手段は、車両の特性および車両が走行する路面の特性のうち少なくとも一方の特性についてのユーザによる設定を受付ける。補正手段は、受付けられた特性に基づいて記憶手段に記憶されている判定値を補正する。集音手段は、車両から発生される音を集音して音データを取得する。解析手段は、取得された音データを周波数解析して所定の周波数領域における音圧レベルを算出する。判定手段は、算出された音圧レベルと補正された判定値とを比較することによって異音を判定する。【選択図】図１
2010096547.tif 000002
【特許請求の範囲】
【請求項１】
検査対象車両で発生される音に含まれる異音を判定するための判定値を記憶している記憶手段と、
前記車両の特性および前記車両が走行する路面の特性のうち、少なくとも一方の特性についてのユーザによる設定を受付ける受付手段と、
前記受付けられた特性に基づいて、前記記憶手段に記憶されている判定値を補正する補正手段と、
前記車両から発生される音を集音して、音データを取得する集音手段と、
前記取得された音データを周波数解析して、所定の周波数領域における音圧レベルを算出する解析手段と、
前記算出された音圧レベルと前記補正された判定値とを比較することによって、前記異音を判定する判定手段と、を有することを特徴とする異音判定装置。
【請求項２】
前記車両の特性は、車両の大きさであって、
前記補正手段は、前記車両の大きさが小さいほど前記補正後の判定値の音圧レベルが高くなるように、前記判定値を補正することを特徴とする請求項１に記載の異音判定装置。
【請求項３】
前記路面の特性は、路面の凹凸であって、
前記補正手段は、前記路面の凹凸が大きいほど前記補正後の判定値の音圧レベルが高くなるように、前記判定値を補正することを特徴とする請求項１または２に記載の異音判定装置。
【請求項４】
前記異音の判定結果が良好と判定された複数の車両の前記音データに基づいて、前記判定値を算出する算出手段をさらに有し、
前記記憶手段は、前記算出手段で算出された判定値を記憶していることを特徴とする請求項１〜３のいずれか１項に記載の異音判定装置。
【請求項５】
前記車両の周囲の温度についてのユーザによる設定を受付ける温度設定受付手段をさらに有し、
前記補正手段は、前記温度が低いほど前記補正後の判定値の音圧レベルが高くなるように、前記判定値を補正することを特徴とする請求項１に記載の異音判定装置。
【請求項６】
前記車両の周囲の気圧についてのユーザによる設定を受付ける気圧設定受付手段をさらに有し、
前記補正手段は、前記気圧が高いほど前記補正後の判定値の音圧レベルが高くなるように、前記判定値を補正することを特徴とする請求項１に記載の異音判定装置。
【請求項７】
前記音データを所定の時間間隔で分割して、複数の分割データを生成する分割手段をさらに有し、
前記解析手段は、前記分割データを周波数解析して前記音圧レベルを算出し、
前記判定手段は、前記所定の時間間隔毎に前記異音を判定することを特徴とする請求項１に記載の異音判定装置。
【請求項８】
前記音データから所定の音情報を抽出する抽出手段と、
前記抽出された音情報に基づいて、前記音の音質の良否を判定する音質判定手段と、をさらに有することを特徴とする請求項１に記載の異音判定装置。
【請求項９】
前記車両の外部の音を集音して、車外音データを取得する車外音集音手段と、
前記車外音データに含まれる特徴的な音を前記音データから除去する除去手段と、をさらに有し、
前記判定手段は、前記特徴的な音が除去された前記音データから、前記異音を判定することを特徴とする請求項１に記載の異音判定装置。
【請求項１０】
検査対象車両の特性および前記車両が走行する路面の特性のうち、少なくとも一方の特性についてのユーザによる設定を受付ける段階と、
前記受付けられた特性に基づいて、前記車両で発生される音に含まれる異音を判定するための判定値を補正する段階と、
前記車両から発生される音を集音して、音データを取得する段階と、
前記取得された音データを周波数解析して、所定の周波数領域における音圧レベルを算出する段階と、
前記算出された音圧レベルと前記補正された判定値とを比較することによって、前記異音を判定する段階と、を有することを特徴とする異音判定方法。
【発明の詳細な説明】
【技術分野】
【０００１】
本発明は、異音判定装置および異音判定方法に関する。特に、本発明は、車両から発生される音に含まれる異音を判定する異音判定装置および異音判定方法に関する。
【背景技術】
【０００２】
走行車両から発生される低級音は、ユーザに不快感を与える場合がある。工場出荷前の車両には、異音検査が実施される。
【０００３】
異音を検査する技術としては、下記の特許文献１に示すような異音判定装置が知られている。特許文献１に開示されている異音判定装置は、異音判定の対象とする複数の周波数帯域と、各周波数帯域に対応する判定パラメータとを検査者が設定することにより、音圧レベルと判定パラメータとを周波数帯域単位で比較するものである。このような構成によれば、周波数帯域単位で異なる判定パラメータを基準にして音圧レベルが判定されるため、製品の異音の有無を正確に判定することができる。
【特許文献１】特開２００６−１２６１４０号公報
【発明の開示】
【発明が解決しようとする課題】
【０００４】
しかしながら、上記異音判定装置では、製品毎に判定パラメータを複数設定する必要があるため、設定作業が複雑になるという問題がある。特に、走行車両から発生される異音を検査する場合には、車両の種類のみならず、車両が走行する路面などの外部要因まで考慮して、判定パラメータを設定する必要がある。
【０００５】
本発明は、上述した問題点を解決するためになされたものである。したがって、本発明の目的は、ユーザによる簡単な設定作業により車両の異音を正確に判定することができる異音判定装置および異音判定方法を提供することである。
【課題を解決するための手段】
【０００６】
本発明の上記目的は、下記の手段によって達成される。
【０００７】
本発明の異音判定装置は、記憶手段、受付手段、補正手段、集音手段、解析手段、および判定手段を有する。前記記憶手段は、検査対象車両で発生される音に含まれる異音を判定するための判定値を記憶している。前記受付手段は、前記車両の特性および前記車両が走行する路面の特性のうち、少なくとも一方の特性についてのユーザによる設定を受付ける。前記補正手段は、前記受付けられた特性に基づいて、前記記憶手段に記憶されている判定値を補正する。前記集音手段は、前記車両から発生される音を集音して、音データを取得する。前記解析手段は、前記取得された音データを周波数解析して、所定の周波数領域における音圧レベルを算出する。前記判定手段は、前記算出された音圧レベルと前記補正された判定値とを比較することによって、前記異音を判定する。
【０００８】
本発明の異音判定方法は、受付段階、補正段階、集音段階、解析段階、および判定段階を有する。前記受付段階は、検査対象車両の特性および前記車両が走行する路面の特性のうち、少なくとも一方の特性についてのユーザによる設定を受付ける。前記補正段階は、前記受付けられた特性に基づいて、前記車両で発生される音に含まれる異音を判定するための判定値を補正する。前記集音段階は、前記車両から発生される音を集音して、音データを取得する。前記解析段階は、前記取得された音データを周波数解析して、所定の周波数領域における音圧レベルを算出する。前記判定段階は、前記算出された音圧レベルと前記補正された判定値とを比較することによって、前記異音を判定する。
【発明の効果】
【０００９】
本発明の異音判定装置および異音判定方法によれば、車両の特性および路面の特性のうち少なくとも一方の特性に基づいて判定値が補正されるため、ユーザによる簡単な設定作業により車両の異音を正確に判定することができる。
【発明を実施するための最良の形態】
【００１０】
以下、図面を参照して、本発明の実施の形態について詳細に説明する。なお、図中、同様の部材には同一の符号を用いた。
【００１１】
（第１の実施の形態）
図１は、本発明の第１の実施の形態における異音判定装置の外観を示す図である。本実施の形態の異音判定装置は、検査対象車両の特性および当該車両が走行する路面の特性に基づいて評価ラインを補正し、補正後の評価ラインを基準に車両の異音の良否を判定するものである。
【００１２】
図１に示すとおり、本実施の形態の異音判定装置１００は、マイクロホン１１０と装置本体部１２０とを備える。
【００１３】
マイクロホン１１０は、車両で発生される音を集音するものである。マイクロホン１１０は、集音手段として、車両から発生される音を集音して音データを取得する。マイクロホン１１０は、信号線１１１を介して装置本体部１２０に電気的に接続されており、マイクロホン１１０からの信号は、装置本体部１２０に送信される。なお、マイクロホン自体は、一般的なマイクロホンであるため、詳細な説明は省略する。
【００１４】
装置本体部１２０は、マイクロホン１１０からの信号を受信して、車両の異音の良否を判定するものである。装置本体部１２０には、種々の入力ボタンから構成される入力部１２１、ならびに種々の表示灯およびディスプレイから構成される出力部１２２が設けられている。また、装置本体部１２０には、判定処理の終了などをユーザに報知するための警報ブザーおよび外部のＰＣとのデータ通信のためのＵＳＢ端子が設けられている。
【００１５】
次に、図２を参照して、図１に示す異音判定装置１００における装置本体部１２０について詳細に説明する。図２は、図１に示す異音判定装置の概略構成を示すブロック図である。
【００１６】
図２に示すとおり、本実施の形態における装置本体部１２０は、入力部１２１、出力部１２２、記憶部１２３、および演算部１２４を備える。入力部１２１、出力部１２２、および記憶部１２３は、演算部１２４にそれぞれ電気的に接続されている。
【００１７】
入力部１２１は、種々の入力ボタンから構成され、ユーザによる車両の特性などの入力に用いられる。入力部１２１は、受付手段として、車両の特性および車両が走行する路面の特性についてのユーザによる設定を受付ける。
【００１８】
出力部１２２は、種々の表示灯およびディスプレイを含み、車両の異音の良否判定結果などを出力する。
【００１９】
記憶部１２３は、マイクロホン１１０により取得される音データを格納する。また、記憶部１２３は、記憶手段として、検査対象車両で発生される音に含まれる異音を判定するための基本評価ライン（判定値）、および、基本評価ラインを補正するための補正値を記憶している。
【００２０】
演算部１２４は、演算回路およびフィルタ回路を含み、補正部（補正手段）、解析部（解析手段）、判定部（判定手段）、分割部（分割手段）、算出部（算出手段）、抽出部（抽出手段）、および音質判定部（音質判定手段）として機能する。
【００２１】
ここで、補正部は、入力部１２１により受付けられた車両の特性および路面の特性に基づいて基本評価ラインを補正するものである。解析部は、マイクロホン１１０で取得された音データを周波数解析して所定の周波数領域における音圧レベルを算出するものであり、判定部は、算出された音圧レベルと補正された評価ラインとを比較することによって、異音を判定するものである。分割部は、音データを所定の時間間隔で分割して、複数の分割データを生成するものである。算出部は、異音判定結果が良好と判定された複数の車両の音データに基づいて基本評価ラインを算出するものである。抽出部は、音データから所定の音情報を抽出するものであり、音質判定部は、抽出部により抽出された音情報に基づいて、車両の音質の良否を判定するものである。なお、各部の具体的な処理内容については、後述する。
【００２２】
以上のとおり構成される本実施の形態の異音判定装置１００によれば、ユーザによって設定される車両の特性および路面の特性に基づいて基本評価ラインが補正され、補正後の評価ラインを基準に、車両の異音の良否が判定される。以下、図３〜図８を参照して、本実施の形態の異音判定装置１００における異音判定方法について説明する。
【００２３】
まず、図３を参照して、本実施の形態の異音判定方法における基本的な処理の流れについて説明する。図３は、本実施の形態の異音判定装置における異音判定方法を説明するためのフローチャートである。
【００２４】
図３に示すとおり、本実施の形態の異音判定方法では、まず、基本評価ラインが設定される（ステップＳ１０１）。より具体的には、車両から発生される音に含まれる異音を判定するための判定値の集合である基本評価ラインが設定される。本実施の形態では、異音の判定結果が良好な複数の車両の音データが記憶部１２３に記憶されており、異音の判定結果が良好な複数の車両の音データを平均化することにより基本評価ラインが算出される。算出された基本評価ラインは、記憶部１２３に記憶される。なお、ステップＳ１０１に示す基本評価ライン設定処理は、毎回実行される必要はなく、定期的に実行されることができる。あるいは、外部のＰＣによって基本評価ラインが算出され、異音判定装置１００の出荷時に、ＵＳＢ端子を介して基本評価ラインが記憶部１２３に記憶されてもよい。あるいは、基本評価ラインは、ユーザにより任意に設定されてもよい。
【００２５】
次に、評価ラインが補正される（ステップＳ１０２）。本実施の形態では、ユーザにより設定される車両の特性、路面の特性、温度範囲、および気圧範囲に基づいて、ステップＳ１０１に示す処理で設定された基本評価ラインが補正される。ステップＳ１０２に示す評価ライン補正処理についての詳細な説明は後述する。
【００２６】
次に、車両から発生される音が計測される（ステップＳ１０３）。本実施の形態では、異音判定装置１００が検査対象車両の後部座席に設置され、検査対象車両が評価路を走行している間に車両で発生される音が計測される。計測された音は、音データとして記憶部１２３に記憶される。
【００２７】
次に、車両の異音の良否が判定される（ステップＳ１０４）。本実施の形態では、ステップＳ１０３に示す処理で取得された音データが周波数解析され、音データの音圧レベルとステップＳ１０２に示す処理で補正された評価ラインとが比較されることによって、車両の異音の良否が判定される。ステップＳ１０４に示す異音判定処理についての詳細な説明は後述する。
【００２８】
次に、車両の音の音質が判定される（ステップＳ１０５）。本実施の形態では、ステップＳ１０３に示す処理で取得された音データに対して、種々のフィルタリング処理が実行され、車両から発生される音の音質の良否が判定される。ステップＳ１０５に示す音質判定処理についての詳細な説明は後述する。
【００２９】
そして、解析結果が出力され（ステップＳ１０６）、処理が終了される。本実施の形態では、ステップＳ１０４に示す異音判定処理およびステップＳ１０５に示す音質判定処理の判定結果に基づいて、出力部１２２としての表示灯が点灯する。
【００３０】
以上のとおり、図３に示すフローチャートの処理によれば、まず、基準評価ラインが算出されて記憶部１２３に記憶される。そして、ユーザによる種々の設定に基づいて基本評価ラインが補正され、補正された評価ラインに基づいて、車両の異音の良否が判定される。加えて、車両で発生される音の音質の良否が判定される。以下、図４〜図８を参照しつつ、図３のフローチャートに示す各処理について詳細に説明する。
【００３１】
まず、図４を参照して、図３のステップＳ１０２に示す評価ライン補正処理について説明する。図４は、図３のステップＳ１０２に示す評価ライン補正処理を説明するためのフローチャートである。
【００３２】
図４に示すとおり、本実施の形態における評価ライン補正処理では、まず、検査対象車両の特性についてのユーザによる設定が受付けられる（ステップＳ２０１）。本実施の形態では、予め分類される４つの車両サイズ（Ｓ、Ｍ、Ｌ、およびＬＬ）の中から、ユーザのボタン操作によって一の車両サイズが選択されることにより、検査対象車両の特性についての設定が受付けられる。
【００３３】
次に、車両の特性に応じた第１の補正値Ｋが決定される（ステップＳ２０２）。本実施の形態では、下記の表１に示すとおり、車両サイズ毎に第１の補正値Ｋが予め設定されており、ステップＳ２０１に示す処理で設定された車両の特性に対応する第１の補正値Ｋが決定される。
【００３４】
【表１】
2010096547.tif 000003
【００３５】
なお、一般的に、検査対象車両のサイズが小さいほど、車室内の音は全体的に大きくなる傾向がある。このため、検査対象車両が小型車（Ｓ）である場合には、大型車（ＬＬ）よりも評価ラインを甘めに設定しないと、一般的な音まで異音と判定されてしまうおそれがある。したがって、車両サイズが小さいほど補正後の評価ラインの音圧レベルが高くなるように、第１の補正値Ｋは設定されている。
【００３６】
次に、車両が走行する路面の特性についてのユーザによる設定が受付けられる（ステップＳ２０３）。本実施の形態では、予め分類される３つの路面（舗装路、石畳路、砂利路など）の中から、ユーザのボタン操作によって一の路面が選択されることにより、路面の特性についての設定が受付けられる。
【００３７】
次に、車両が走行する路面の特性に応じた第２の補正値Ｒが決定される（ステップＳ２０４）。本実施の形態では、下記の表２に示すとおり、路面毎に第２の補正値Ｒが予め設定されており、ステップＳ２０３に示す処理で設定された路面の特性に対応する第２の補正値Ｒが決定される。
【００３８】
【表２】
2010096547.tif 000004
【００３９】
なお、一般的に、路面の凹凸が大きいほど、走行車両の車室内の音は全体的に大きくなる傾向がある。このため、走行路が凹凸の大きい砂利路（未舗装路）である場合には、凹凸の小さい舗装路よりも評価ラインを甘めに設定しないと、一般的な音まで異音と判定されてしまうおそれがある。したがって、路面の凹凸が大きいほど補正後の評価ラインの音圧レベルが高くなるように、第２の補正値Ｒは設定されている。
【００４０】
次に、車両の周囲の温度についてのユーザによる設定が受付けられる（ステップＳ２０５）。本実施の形態では、予め設定される３つの温度範囲の中から、ユーザのボタン操作によって一の温度範囲が選択されることにより、温度についての設定が受付けられる。
【００４１】
次に、温度範囲に応じた第３の補正値Ｔが決定される（ステップＳ２０６）。本実施の形態では、下記の表３に示すとおり、温度範囲毎に第３の補正値Ｔが予め設定されており、ステップＳ２０５に示す処理で選択された温度範囲に対応する第３の補正値Ｔが決定される。
【００４２】
【表３】
2010096547.tif 000005
【００４３】
なお、一般的に、周囲の温度が低いほど、走行車両の車室内の音は全体的に大きくなる傾向がある。このため、周囲の温度が低い場合には、温度が高い場合よりも評価ラインを甘めに設定しないと、一般的な音まで異音と判定されてしまうおそれがある。したがって、温度が低いほど補正後の評価ラインの音圧レベルが高くなるように、第３の補正値Ｔは設定されている。
【００４４】
次に、車両の周囲の気圧についてのユーザによる設定が受付けられる（ステップＳ２０７）。本実施の形態では、予め設定される３つの気圧範囲の中から、ユーザのボタン操作によって一の気圧範囲が選択されることにより、気圧についての設定が受付けられる。
【００４５】
次に、気圧範囲に応じた第４の補正値Ａが決定される（ステップＳ２０８）。本実施の形態では、下記の表４に示すとおり、気圧範囲毎に第４の補正値Ｐが予め設定されており、ステップＳ２０７に示す処理で選択された気圧範囲に対応する第４の補正値Ａが決定される。
【００４６】
【表４】
2010096547.tif 000006
【００４７】
なお、一般的に、周囲の気圧が高いほど、走行車両の車室内の音は全体的に大きくなる傾向がある。このため、周囲の気圧が高い場合には、気圧が低い場合よりも評価ラインを甘めに設定しないと、一般的な音まで異音と判定されてしまうおそれがある。したがって、気圧が高いほど補正後の評価ラインの音圧レベルが高くなるように、第４の補正値Ａは設定されている。
【００４８】
そして、基本評価ラインが補正され（ステップＳ２０９）、処理が終了される。本実施の形態では、ステップＳ２０１〜Ｓ２０８に示す処理により決定された第１〜第４の補正値Ｋ，Ｒ，Ｔ，Ａに基づいて、基本評価ラインが補正される。具体的には、下記（１）式に示すとおり、周波数の関数Ｐ（ｆ）で表現される基本評価ラインＰ（ｆ）に、第１〜第４の補正値Ｋ，Ｒ，Ｔ，Ａが加算されることにより、補正後の評価ラインＰ’（ｆ）が算出される。
【００４９】
評価ラインＰ’（ｆ）＝ 基本評価ラインＰ（ｆ）＋Ｋ＋Ｒ＋Ｔ＋Ａ  …（１）
図５は、基本評価ラインを補正する処理を説明するための図である。
【００５０】
図５の破線は、予め記憶されている基本評価ラインＰ（ｆ）を示し、実線は、補正後の評価ラインＰ’（ｆ）を示す。図５の横軸は周波数であり、縦軸は音圧レベルである。
【００５１】
図５に示すとおり、本実施の形態の評価ライン補正処理では、ユーザによる設定に対応する補正値が加算されることによって、基本評価ラインＰ（ｆ）が上方または下方に平行移動するように補正される。言い換えれば、車両の特性、路面の特性、温度範囲、および気圧範囲についてのユーザによる設定に基づいて、異音判定が甘くなる方向または厳しくなる方向に、評価ラインが補正される。
【００５２】
以上のとおり、図４に示すフローチャートの処理によれば、まず、車両サイズ、路面、温度範囲、および気圧範囲がユーザのボタン操作により設定され、これらの設定に応じて補正値が決定される。そして、決定された補正値に基づいて、基本評価ラインが補正される。このような構成によれば、ユーザの簡単なボタン操作により、異音を判定するための評価ラインを設定することができる。
【００５３】
なお、車両サイズおよび路面の凹凸と比較して、温度および気温の評価ラインに対する影響度は小さいため、図４のステップＳ２０５〜Ｓ２０８に示す処理は省略されてもよい。あるいは、図４のステップＳ２０５〜Ｓ２０８に示す処理は、季節の移り変わりに応じて数ヶ月毎に実行されてもよい。
【００５４】
次に、図６を参照して、図３のステップＳ１０４に示す異音判定処理について詳細に説明する。図６は、図３のステップＳ１０４に示す異音判定処理を説明するためのフローチャートである。
【００５５】
図６に示すとおり、本実施の形態における異音判定処理では、まず、音データが所定の時間間隔で分割される（ステップＳ３０１）。本実施の形態では、図３のステップＳ１０３に示す処理で取得された音データが分割されて、複数の時分割音データが生成される。ここで、上記所定の時間間隔は、評価路を走行する車両の振動などにともなって突発的に発生される音を検出することができる程度に短い時間であり、たとえば、０．１〜１秒の範囲で設定される。
【００５６】
次に、複数の時分割音データの中から一の時分割音データが選択される（ステップＳ３０２）。本実施の形態では、計測開始時点からの時分割音データが順次に周波数解析されるように、ステップＳ３０１に示す処理で生成された複数の時分割音データの中から一の時分割音データが選択される。
【００５７】
次に、選択された時分割音データがフィルタリング処理される（ステップＳ３０３）。本実施の形態では、後続する周波数解析処理に先立って、ステップＳ３０１に示す処理で分割された時分割音データをフィルタリング処理することにより、時分割音データに含まれるノイズおよび解析対象ではない周波数帯域のデータが除去される。
【００５８】
次に、高速フーリエ変換（以下、ＦＦＴと称する）解析が実行される（ステップＳ３０４）。本実施の形態では、ステップＳ３０３に示す処理でフィルタリング処理された時分割音データに対してＦＦＴが実行され、所定の周波数領域における音圧レベル（音圧スペクトル）が算出される。
【００５９】
次に、算出された音圧レベルと補正後の評価ラインＰ’（ｆ）とが比較される（ステップＳ３０５）。本実施の形態では、ステップＳ３０４に示す処理で算出された音データの音圧レベルと、上述の評価ライン補正処理で補正された評価ラインＰ’（ｆ）とが比較される。
【００６０】
そして、異音がカウントされる（ステップＳ３０６）。本実施の形態では、図７に示すとおり、補正後の評価ラインＰ’（ｆ）を超える音圧レベルを有する音が異音と判定され、異音の数（たとえば、３個）がカウントされる。
【００６１】
そして、カウントされた異音の数が許容値未満か否かが判断される（ステップＳ３０７）。カウントされた異音の数が許容値未満の場合（ステップＳ３０７：ＹＥＳ）、車両の異音は良好と判断され（ステップＳ３０８）、ステップＳ３１０以下の処理に移行する。一方、カウントされた異音の数が許容値以上の場合（ステップＳ３０７：ＮＯ）、車両の異音は不良と判断され（ステップＳ３０９）、ステップＳ３１０以下の処理に移行する。
【００６２】
次に、すべての時分割音データが、異音判定されたか否かが判断される（ステップＳ３１０）。すべての時分割音データが異音判定されていない場合（ステップＳ３１０：ＮＯ）、すべての時分割音データが異音判定されるまで、ステップＳ３０２以下の処理が繰り返される。一方、すべての時分割音データが異音判定された場合（ステップＳ３１０：ＹＥＳ）、処理が終了される。
【００６３】
以上のとおり、図６に示すフローチャートの処理によれば、車両で発生される音の音データが周波数解析され、補正された評価ラインと比較されることにより、車両の異音の良否が判定される。このとき、音データを所定の時間間隔で複数に分割することにより、音データを平均化することなく、車両の振動などにともなって突発的に発生される音を確実に検出することができる。また、異音の数をカウントして車両の異音の良否を判定することにより、誤判定が防止される。
【００６４】
そして、本実施の形態の異音判定装置および異音判定方法によれば、ユーザが車両の特性および路面の特性を設定することにより評価ラインが補正され、補正された評価ラインに基づいて車両の異音の良否が判定される。したがって、ユーザによる簡単な設定作業により、車両の異音の良否を正確に判定することができる。
【００６５】
最後に、図８を参照して、図３のステップＳ１０５に示す音質判定処理について詳細に説明する。図８は、図３のステップＳ１０５に示す音質判定処理を説明するためのフローチャートである。
【００６６】
図８に示すとおり、本実施の形態の音質判定処理では、まず、音データに対して音響フィルタリング処理が実行される（ステップＳ４０１）。本実施の形態では、図３のステップＳ１０３に示す処理で取得された音データに対して、種々の音響フィルタリング処理が実行され、所定の音情報が取得される。ここで、所定の音情報とは、ラウドネス、シャープネス、およびラフネスなどの感覚尺度が数値化されたものである。なお、これらの音情報を抽出するための音響フィルタ自体は、一般的な音響フィルタであるため、詳細な説明は省略する。
【００６７】
そして、音響フィルタリング処理された音データの値が許容値未満か否かが判断される（ステップＳ４０２）。本実施の形態では、ステップＳ４０１に示す処理で音響フィルタリング処理された音データの値が、許容値未満か否かが判断される。
【００６８】
音響フィルタリング処理された音データの値が許容値未満の場合（ステップＳ４０２：ＹＥＳ）、車両で発生される音の音質が良好と判断され（ステップＳ４０３）、処理が終了される。一方、音響フィルタリング処理された音データの値が許容値以上の場合（ステップＳ４０２：ＮＯ）、車両で発生される音の音質が不良と判断され（ステップＳ４０４）、処理が終了される。
【００６９】
以上のとおり、図８に示すフローチャートの処理によれば、音データに対して所定の音情報を抽出するための音響フィルタリング処理が実行され、車両で発生される音の音質の良否が判定される。このような構成によれば、車両で発生される音に含まれる異音の判定に加えて、車両で発生される音の音質の良否を判定することができる。
【００７０】
以上のとおり、説明した本実施の形態は、以下の効果を奏する。
【００７１】
（ａ）本実施の形態の異音判定装置は、記憶部、入力部、補正部、マイクロホン、解析部、および判定部を有する。記憶部は、検査対象車両で発生される音に含まれる異音を判定するための基本評価ラインを記憶している。入力部は、車両の特性および車両が走行する路面の特性についてのユーザによる入力を受付ける。補正部は、受付けられた特性に基づいて、記憶部に記憶されている基本評価ラインを補正する。マイクロホンは、車両から発生される音を集音して、音データを取得する。解析部は、取得された音データを周波数解析して、所定の周波数領域における音圧レベルを算出する。判定部は、算出された音圧レベルと補正された評価ラインとを比較することによって、異音を判定する。したがって、検査対象車両の特性および路面の特性に基づいて基本評価ラインが補正されるため、ユーザによる簡単な設定作業により車両の異音を正確に判定することができる。
【００７２】
（ｂ）車両の特性は、車両サイズであって、補正部は、車両サイズが小さいほど補正後の評価ラインの音圧レベルが高くなるように基本評価ラインを補正する。したがって、検査対象車両の車種が変更される場合でも、ユーザによる車両サイズの設定により基本評価ラインが補正され、異音を正確に判定することができる。
【００７３】
（ｃ）路面の特性は、路面の凹凸であって、補正部は、路面の凹凸が大きいほど補正後の評価ラインの音圧レベルが高くなるように、基本評価ラインを補正する。したがって、検査対象車両が走行する路面が変更される場合でも、ユーザによる路面の設定により基本評価ラインが補正され、異音を正確に判定することができる。
【００７４】
（ｄ）本実施の形態の異音判定装置は、異音の判定結果が良好と判定された複数の車両の音データに基づいて、基本評価ラインを算出する算出部をさらに有する。したがって、基本評価ラインが精度よく設定されるため、より正確に異音を判定することができる。
【００７５】
（ｅ）入力部は、車両の周囲の温度についてのユーザによる設定を受付け、補正部は、車両の周囲の温度が低いほど補正後の評価ラインの音圧レベルが高くなるように、基本評価ラインを補正する。したがって、車両の周囲の温度に起因する誤判定要因が取り除かれるため、より正確に異音を判定することができる。
【００７６】
（ｆ）入力部は、車両の周囲の気圧についてのユーザによる設定を受付け、前記補正部は、気圧が高いほど補正後の評価ラインの音圧レベルが高くなるように、基本評価ラインを補正する。したがって、車両の周囲の気圧に起因する誤判定要因が取り除かれるため、より正確に異音を判定することができる。
【００７７】
（ｇ）本実施の形態の異音判定装置は、音データを所定の時間間隔で分割して、複数の時分割音データを生成する分割部をさらに有する。したがって、突発的に発生される異音が確実に検出されるため、より正確に異音を判定することができる。
【００７８】
（ｈ）本実施の形態の異音判定装置は、音データから所定の音情報を抽出する抽出部と、抽出された音情報に基づいて、車両の音質の良否を判定する音質判定部と、をさらに有する。したがって、車両で発生される音に含まれる異音の判定に加えて、車両で発生される音の音質を判定することができる。
【００７９】
（ｉ）本実施の形態の異音判定方法は、受付段階、補正段階、集音段階、解析段階、および判定段階を有する。受付段階は、検査対象車両の特性および車両が走行する路面の特性についてのユーザによる設定を受付ける。補正段階は、受付けられた特性に基づいて、車両で発生される音に含まれる異音を判定するための基本評価ラインを補正する。集音段階は、車両から発生される音を集音して、音データを取得する。解析段階は、取得された音データを周波数解析して、所定の周波数領域における音圧レベルを算出する。判定段階は、算出された音圧レベルと補正された評価ラインとを比較することによって、異音を判定する。したがって、検査対象車両の特性および路面の特性に基づいて基本評価ラインが補正されるため、ユーザによる簡単な設定作業により車両の異音を正確に判定することができる。
【００８０】
（第２の実施の形態）
次に、図９を参照して、本発明の第２の実施の形態について説明する。本実施の形態は、２つのマイクロホンを用いる実施の形態である。
【００８１】
図９は、本発明の第２の実施の形態における異音判定装置の概略構成を説明するためのブロック図である。
【００８２】
図９に示すとおり、本実施の形態の異音判定装置１００は、第１のマイクロホン１１０ａ、第２のマイクロホン１１０ｂ、および装置本体部１２０を備える。なお、本実施の形態の異音判定装置１００が第２のマイクロホン１１０ｂを備えていることを除いては、本実施の形態の異音判定装置の構成は、第１の実施の形態における構成と同様であるため、詳細な説明は省略する。
【００８３】
第２のマイクロホン１１０ｂは、検査対象車両２００の外部に設置され、車両２００の外部の音を集音するものである。第２のマイクロホン１１０ｂは、車外音集音手段として、車両２００の外部の音を集音して、車外音データを取得する。また、演算部１２４は、車外音データに含まれる特徴的な音を音データから除去する除去部として機能する。このような構成によれば、ノイズ成分である特徴的な音が除去された音データから車両の異音が判定されるため、より正確に異音を判定することができる。
【００８４】
以上のとおり、説明した本実施の形態は、第１の実施の形態の効果に加えて、以下の効果を奏する。
【００８５】
（ｊ）本実施の形態の異音判定装置は、車両の外部の音を集音して、車外音データを取得する第２のマイクロホンと、車外音データに含まれる特徴的な音を音データから除去する除去部と、をさらに有する。したがって、音データに含まれるノイズ成分が除去されるため、より正確に異音を判定することができる。
【００８６】
以上のとおり、説明した第１および第２の実施の形態において、本発明の異音判定装置および異音判定方法を説明した。しかしながら、本発明は、その技術思想の範囲内において当業者が適宜に追加、変形、および省略することができることはいうまでもない。
【００８７】
たとえば、第１および第２の実施の形態では、車両の特性として、車両サイズが採用され、車両サイズに応じて第１の補正値が設定された。しかしながら、車両の特性は、車両サイズに限定されるものではなく、たとえば、車両の高級感に応じて第１の補正値が設定されてもよい。
【００８８】
また、第１および第２の実施の形態では、車両の特性および路面の特性の両方に基づいて、基本評価ラインが補正された。しかしながら、基本評価ラインは、車両の特性および路面の特性の一方に基づいて補正されてもよい。たとえば、基本評価ラインが車両の特性にのみ基づいて補正される場合には、路面の特性に応じた基本評価ラインを予め記憶部に複数記憶させておき、まず、ユーザが複数の基本評価ラインの中から路面の特性に応じた一の基本評価ラインを選択する。そして、ユーザによる車両の特性についての設定に応じて第１の補正値が決定され、決定された第１の補正値により上記選択された基本評価ラインが補正される。
【００８９】
また、第１および第２の実施の形態では、ＦＦＴ解析によって得られる所定の周波数領域全体の中で異音の数がカウントされた。しかしながら、所定の周波数領域を複数の周波数帯域に分割して、周波数帯域毎に異音の良否を判定してもよい。
【図面の簡単な説明】
【００９０】
【図１】本発明の第１の実施の形態における異音判定装置の外観を示す図である。
【図２】図１に示す異音判定装置の概略構成を示すブロック図である。
【図３】図１に示す異音判定装置における異音判定方法を説明するためのフローチャートである。
【図４】図３のステップＳ１０２に示す評価ライン補正処理を説明するためのフローチャートである。
【図５】基本評価ラインを補正する処理を説明するための図である。
【図６】図３のステップＳ１０４に示す異音判定処理を説明するためのフローチャートである。
【図７】周波数解析された音圧データの音圧レベルと基本評価ラインとを比較する処理を説明するための図である。
【図８】図３のステップＳ１０５に示す音質判定処理を説明するためのフローチャートである。
【図９】本発明の第２の実施の形態における異音判定装置の概略構成を説明するためのブロック図である。
【符号の説明】
【００９１】
１００  異音判定装置、
１１０，１１０ａ，１１０ｂ  マイクロホン（集音手段、車外音集音手段）、
１１１  信号線、
１２０  装置本体部、
１２１  入力部（受付手段、温度設定受付手段、気圧設定受付手段）、
１２２  出力部、
１２３  記憶部（記憶手段）、
１２４  演算部（補正手段、解析手段、判定手段、算出手段、分割手段、抽出手段、音質判定手段、除去手段）、
２００  車両。
【図１】
2010096547.tif 000007
【図２】
2010096547.tif 000008
【図３】
2010096547.tif 000009
【図４】
2010096547.tif 000010
【図５】
2010096547.tif 000011
【図６】
2010096547.tif 000012
【図７】
2010096547.tif 000013
【図８】
2010096547.tif 000014
【図９】
2010096547.tif 000015